(57)【特許請求の範囲】
【請求項１】
測定箱を含み、前記測定箱の左端面の中にはディスプレーが設置され、前記測定箱の中には前記測定箱の移動を制御できる移動機構が設置され、前記測定箱の中には回転空間が設置され、前記回転空間の中には駆動機構が設置され、前記駆動機構は本願装置に動力を提供でき、前記回転空間の右端壁の中には上方に開口した昇降空間が設置され、前記昇降空間の中には昇降機構が設置され、前記昇降機構は昇降ブロック及び前記昇降ブロックを支持できる昇降ばねを含み、前記昇降ブロックの上端には前記昇降ブロックの左右端面を貫通した従動空間が三つ設置され、前記従動空間の中にはセンサーが設置され、前記センサーの左端面には収納ロッドが固定され、前記従動空間の下端壁には上方に開口した位置制限空間が設置され、前記位置制限空間の中には位置制限ブロックが設置され、前記位置制限ブロックは上端が前記センサーと固定的に連結され、前記位置制限空間の下端壁には移動溝が形成され、前記移動溝は上端壁が前記位置制限空間に連通し、且つ左端壁が前記昇降空間に連通し、前記移動溝の下端壁には上方に開口した収納空間が設置され、前記収納空間は左端壁が右下方へ傾斜しており、前記移動溝の中には制限ロッドが設置され、前記制限ロッドは上端が前記位置制限空間の中に位置し、且つ前記位置制限ブロックを制限でき、前記昇降ブロックの中には巻き付き空間が設置され、前記巻き付き空間の左右端壁の間には六本の従動軸が回転可能に連結され、前記従動軸にはローラが固定され、上側にある三つの前記ローラには第一導電線が巻かれ、下側にある三つの前記ローラには第二導電線が巻かれ、前記従動軸と前記巻き付き空間の右端壁とは捻りばねにより連結され、前記巻き付き空間の左端壁には接電柱が固定され、前記測定箱の中には前記センサーを押し出す巻き付き機構が設置され、前記測定箱の中には前記制限ロッドを押して移動させることができる押し機構が設置され、前記駆動機構の動力の出力を制御することで、前記昇降機構と、前記押し機構と、前記移動機構との運動をそれぞれ制御でき、前記押し機構は三本の前記制限ロッドのうちの一本を制御して移動させたあと、前記巻き付き機構が作動して前記センサーを押し出し、測定を始めることを特徴とする変圧器の総合性能を測定する際の作業環境に対する知能測定装置。
【請求項２】
前記移動機構は伝動空間を含み、前記伝動空間の左右端壁の間には第一伝動軸及び第二伝動軸が回転可能に連結され、前記第二伝動軸には第一プーリ及びウォームホイールが固定され、前記第一伝動軸には第二プーリ及び第一スプロケットが固定され、前記第二プーリと前記第一プーリとは第一ベルトにより連結され、前記測定箱の中には下方に開口した転び空間が二つ設置され、前記転び空間の左右端壁の間には転び軸が回転可能に連結され、前記転び軸には下端が外部空間に位置するトロリーホィールが二つ固定され、前記転び軸にはさらに第二スプロケットが固定され、二つの前記第二スプロケットと前記第一スプロケットとはチェーンにより連結され、前記ウォームホイールは上端が前記回転空間の中に位置していることを特徴とする請求項１に記載の変圧器の総合性能を測定する際の作業環境に対する知能測定装置。
【請求項３】
前記駆動機構は前方に開口した水平移動空間を含み、前記水平移動空間の下端壁には下押し空間が設置され、前記下押し空間は上端壁が前記水平移動空間に連通し、且つ前端壁が前記回転空間に連通し、前記下押し空間の中には固定板が設置され、前記固定板の後端面には磁石ブロックが設置され、且つ前記固定板の前端面にはモータが固定され、前記下押し空間の下端壁には圧縮ばねが固定され、前記圧縮ばねは上端が前記磁石ブロックと接触し、前記水平移動空間の上端壁には電磁板が固定され、前記水平移動空間の中には電磁石ブロックが左右対称的に固定され、前記モータの前端にはウォームが伝動可能に連結され、前記ウォームは前端が前記回転空間の中に位置し、前記ウォームホイールの上端と前記ウォームとは噛み合い、且つ前記ウォームの前端には駆動歯車が固定され、前記回転空間の前後端壁の間には回転軸及び昇降軸が回転可能に連結され、前記回転軸には回転歯車及び第三プーリが固定され、前記昇降軸には昇降歯車が固定され、前記昇降歯車は右端が前記昇降空間の中に位置し、且つ前記昇降ブロックの左端面と噛み合っていることを特徴とする請求項２に記載の変圧器の総合性能を測定する際の作業環境に対する知能測定装置。
【請求項４】
前記第二導電線の一端と前記第一導電線の一端とがいずれも前記接電柱に固定され、前記第二導電線の他端が前記巻き付き空間の右端壁及び前記位置制限空間の左端壁を貫通したあとに前記位置制限ブロックを貫通し、且つ前記センサーと連結され、前記第一導電線の他端が前記巻き付き空間の左端壁及び前記昇降空間の左端壁を貫通し、且つ前記ディスプレーと連結され、前記第二導電線の中間点と前記第一導電線の中間点とはいずれも前記ローラに固定され、そして前記第二導電線と前記第一導電線とが前記ローラに巻かれていることを特徴とする請求項１に記載の変圧器の総合性能を測定する際の作業環境に対する知能測定装置。
【請求項５】
前記巻き付き機構は前記回転空間の上端壁の中に位置する旋転空間を含み、前記旋転空間の後端壁の中には前方へ開口したスライド溝が形成され、前記スライド溝の中には滑走ブロック及び前記滑走ブロックを復帰させる復帰ばねが設置され、前記滑走ブロックの中には伝動モータが設置され、前記伝動モータの前端には前端が前記旋転空間の中に位置する旋転軸が伝動可能に連結され、前記旋転軸には旋転歯車が固定され、前記旋転軸の左側には巻き付き軸が設置され、前記巻き付き軸は前後両端が前記旋転空間の前後端壁と回転可能に連結され、前記巻き付き軸には前記旋転歯車と噛み合うことができる連結歯車が固定され、前記巻き付き軸にはさらに三つのリールが固定され、前記リールには鎖が巻かれ、前記旋転空間の右端壁の中には左方に開口した押し空間が三つ設置され、前記押し空間の中には左端が前記旋転空間の中に位置する押しロッド及び前記押しロッドを復帰させられる押しばねが設置され、前記押しロッドの左端には左端面が前記旋転軸と接触した旋転軸が固定され、前記押しロッドの右端面にはロープが固定され、前記測定箱の中には上方に開口した持ち上げ空間が設置され、前記測定箱の中には上方に開口し、且つ前記持ち上げ空間の上端壁に貫通された移動空間が設置され、前記昇降空間の上端壁が前記移動空間を貫通し、且つ前記昇降ブロックの上端が前記移動空間の中に位置し、前記持ち上げ空間の中には上端が前記移動空間の中に位置する持ち上げロッドが設置され、前記持ち上げロッドの上端には右方に開口したばね溝が三つ形成され、前記ばね溝の中には移動ロッドが設置され、前記移動ロッドの右端が前記従動空間の左端壁を貫通し、且つ前記従動空間の中に位置し、前記移動ロッドの右端には右方に開口した収納溝が形成され、前記収納ロッドの左端が前記収納溝の中に位置し、前記ばね溝の中にはさらに前記ばね溝の左端壁と前記移動ロッドとを連結させる伸縮ばねが設置され、前記移動ロッドの中には下方に開口したスライド空間が設置され、前記スライド空間の中にはスライドブロック及び前記スライドブロックを復帰させられるスライドばねが設置され、前記鎖の上端が前記移動空間の下端壁を貫通し、且つ前記昇降ブロックの左端面を二回貫通したあとに前記スライド空間の下端壁を貫通し、そして前記スライドブロックと連結されていることを特徴とする請求項３に記載の変圧器の総合性能を測定する際の作業環境に対する知能測定装置。
【請求項６】
前記押し機構は前記旋転空間の上端壁の中に位置する押圧空間を含み、前記押圧空間の前後端壁の間には押圧軸が回転可能に連結され、前記押圧軸にはセクタ歯車が三つ固定され、前記押圧軸にはさらに前記第三プーリと第二ベルトで連結された第四プーリが固定され、前記押圧空間の中にはさらに押圧板が三枚設置され、前記押圧板の右端面には押圧ばねが二本固定され、二本の前記押圧ばねは右端が前記押圧空間の右端壁と連結され、前記ロープの右端が前記押し空間の右端壁及び前記押圧空間の右端壁を貫通し、且つ前記押圧板と連結され、前記押圧板の右端面にはさらに押圧ロッドが固定され、前記押圧ロッドは右端が前記押圧空間の右端壁及び前記移動溝の左端壁を貫通し、且つ前記移動溝の中に位置し、前記制限ロッドの上端が前記押圧ロッドの右端を貫通することを特徴とする請求項５に記載の変圧器の総合性能を測定する際の作業環境に対する知能測定装置。
【請求項７】
前記昇降ブロックが最も上に上昇した時、前記昇降機構は前記昇降歯車を回転させることができないことを特徴とする請求項３に記載の変圧器の総合性能を測定する際の作業環境に対する知能測定装置。
【請求項８】
前記持ち上げロッドと前記持ち上げ空間との間の摩擦力は前記持ち上げロッドの重力より大きいことを特徴とする請求項５に記載の変圧器の総合性能を測定する際の作業環境に対する知能測定装置。
【請求項９】
始めに、前記ウォームと前記ウォームホイールとは噛み合い、前記電磁板は作動状態にあり、且つ前記磁石ブロックと反発し合い、六本の前記押圧ばねが自然状態にあり、前記スライドばねの弾力は前記伸縮ばねの弾力より大きく、前記スライドばねの弾力は二本の前記押圧ばねの弾力の和より小さいことを特徴とする請求項６に記載の変圧器の総合性能を測定する際の作業環境に対する知能測定装置。
【発明の詳細な説明】
【技術分野】
【０００１】
本願発明は測定分野を取り上げて、具体的には変圧器の総合性能を測定する際の作業環境に対する知能測定装置である。
【背景技術】
【０００２】
変圧器が作動する時、散発的に変圧器の作業環境を測定してデータを得る必要があり、そうすることで変圧器の正常作業を保証できる。現段階において変圧器の作業状況に対する測定は一般的に人力で行われ、人身安全に危険性をもたらし、また、異なる作業状況に対して、異なるセンサーを使用して測定を行う必要があるため、タイムリーにセンサーを取り替えらなくてはならなく、作業量が増えるだけではなく、測定効率も下がってしまう。
【先行技術文献】
【特許文献】
【０００３】
【特許文献１】中国特許出願公開第１０７１０２１８０号明細書
【発明の概要】
【発明が解決しようとする課題】
【０００４】
本発明は変圧器の総合性能を測定する際の作業環境に対する知能測定装置を提供し、作業の危険性が高いや人力による測定の効率が低いなどの問題を解決して作業の危険性を下げることを目的とする。
【課題を解決するための手段】
【０００５】
本願発明は以下の技術プランを通じて実現する。
【０００６】
本願発明に記載の変圧器の総合性能を測定する際の作業環境に対する知能測定装置は、測定箱を含み、前記測定箱の左端面の中にはディスプレーが設置され、前記測定箱の中には前記測定箱の移動を制御できる移動機構が設置され、前記測定箱の中には回転空間が設置され、前記回転空間の中には駆動機構が設置され、前記駆動機構は本願装置に動力を提供でき、前記回転空間の右端壁の中には上方に開口した昇降空間が設置され、前記昇降空間の中には昇降機構が設置され、前記昇降機構は昇降ブロック及び前記昇降ブロックを支持できる昇降ばねを含み、前記昇降ブロックの上端には前記昇降ブロックの左右端面を貫通した従動空間が三つ設置され、前記従動空間の中にはセンサーが設置され、前記センサーの左端面には収納ロッドが固定され、前記従動空間の下端壁には上方に開口した位置制限空間が設置され、前記位置制限空間の中には位置制限ブロックが設置され、前記位置制限ブロックは上端が前記センサーと固定的に連結され、前記位置制限空間の下端壁には移動溝が形成され、前記移動溝は上端壁が前記位置制限空間に連通し、且つ左端壁が前記昇降空間に連通し、前記移動溝の下端壁には上方に開口した収納空間が設置され、前記収納空間は左端壁が右下方へ傾斜しており、前記移動溝の中には制限ロッドが設置され、前記制限ロッドは上端が前記位置制限空間の中に位置し、且つ前記位置制限ブロックを制限でき、前記昇降ブロックの中には巻き付き空間が設置され、前記巻き付き空間の左右端壁の間には六本の従動軸が回転可能に連結され、前記従動軸にはローラが固定され、上側にある三つの前記ローラには第一導電線が巻かれ、下側にある三つの前記ローラには第二導電線が巻かれ、前記従動軸と前記巻き付き空間の右端壁とは捻りばねにより連結され、前記巻き付き空間の左端壁には接電柱が固定され、前記測定箱の中には前記センサーを押し出す巻き付き機構が設置され、前記測定箱の中には前記制限ロッドを押して移動させることができる押し機構が設置され、前記駆動機構の動力の出力を制御することで、前記昇降機構と、前記押し機構と、前記移動機構との運動をそれぞれ制御でき、前記押し機構は三本の前記制限ロッドのうちの一本を制御して移動させたあと、前記巻き付き機構が作動して前記センサーを押し出し、測定を始める。
【０００７】
さらに、前記移動機構は伝動空間を含み、前記伝動空間の左右端壁の間には第一伝動軸及び第二伝動軸が回転可能に連結され、前記第二伝動軸には第一プーリ及びウォームホイールが固定され、前記第一伝動軸には第二プーリ及び第一スプロケットが固定され、前記第二プーリと前記第一プーリとは第一ベルトにより連結され、前記測定箱の中には下方に開口した転び空間が二つ設置され、前記転び空間の左右端壁の間には転び軸が回転可能に連結され、前記転び軸には下端が外部空間に位置するトロリーホィールが二つ固定され、前記転び軸にはさらに第二スプロケットが固定され、二つの前記第二スプロケットと前記第一スプロケットとはチェーンにより連結され、前記ウォームホイールは上端が前記回転空間の中に位置している。
【０００８】
さらに、前記駆動機構は前方に開口した水平移動空間を含み、前記水平移動空間の下端壁には下押し空間が設置され、前記下押し空間は上端壁が前記水平移動空間に連通し、且つ前端壁が前記回転空間に連通し、前記下押し空間の中には固定板が設置され、前記固定板の後端面には磁石ブロックが設置され、且つ前記固定板の前端面にはモータが固定され、前記下押し空間の下端壁には圧縮ばねが固定され、前記圧縮ばねは上端が前記磁石ブロックと接触し、前記水平移動空間の上端壁には電磁板が固定され、前記水平移動空間の中には電磁石ブロックが左右対称的に固定され、前記モータの前端にはウォームが伝動可能に連結され、前記ウォームは前端が前記回転空間の中に位置し、前記ウォームホイールの上端と前記ウォームとは噛み合い、且つ前記ウォームの前端には駆動歯車が固定され、前記回転空間の前後端壁の間には回転軸及び昇降軸が回転可能に連結され、前記回転軸には回転歯車及び第三プーリが固定され、前記昇降軸には昇降歯車が固定され、前記昇降歯車は右端が前記昇降空間の中に位置し、且つ前記昇降ブロックの左端面と噛み合っている。
【０００９】
さらに、前記第二導電線の一端と前記第一導電線の一端とがいずれも前記接電柱に固定され、前記第二導電線の他端が前記巻き付き空間の右端壁及び前記位置制限空間の左端壁を貫通したあとに前記位置制限ブロックを貫通し、且つ前記センサーと連結され、前記第一導電線の他端が前記巻き付き空間の左端壁及び前記昇降空間の左端壁を貫通し、且つ前記ディスプレーと連結され、前記第二導電線の中間点と前記第一導電線の中間点とはいずれも前記ローラに固定され、そして前記第二導電線と前記第一導電線とが前記ローラに巻かれている。
【００１０】
さらに、前記巻き付き機構は前記回転空間の上端壁の中に位置する旋転空間を含み、前記旋転空間の後端壁の中には前方へ開口したスライド溝が形成され、前記スライド溝の中には滑走ブロック及び前記滑走ブロックを復帰させる復帰ばねが設置され、前記滑走ブロックの中には伝動モータが設置され、前記伝動モータの前端には前端が前記旋転空間の中に位置する旋転軸が伝動可能に連結され、前記旋転軸には旋転歯車が固定され、前記旋転軸の左側には巻き付き軸が設置され、前記巻き付き軸は前後両端が前記旋転空間の前後端壁と回転可能に連結され、前記巻き付き軸には前記旋転歯車と噛み合うことができる連結歯車が固定され、前記巻き付き軸にはさらに三つのリールが固定され、前記リールには鎖が巻かれ、前記旋転空間の右端壁の中には左方に開口した押し空間が三つ設置され、前記押し空間の中には左端が前記旋転空間の中に位置する押しロッド及び前記押しロッドを復帰させられる押しばねが設置され、前記押しロッドの左端には左端面が前記旋転軸と接触した旋転軸が固定され、前記押しロッドの右端面にはロープが固定され、前記測定箱の中には上方に開口した持ち上げ空間が設置され、前記測定箱の中には上方に開口し、且つ前記持ち上げ空間の上端壁に貫通された移動空間が設置され、前記昇降空間の上端壁が前記移動空間を貫通し、且つ前記昇降ブロックの上端が前記移動空間の中に位置し、前記持ち上げ空間の中には上端が前記移動空間の中に位置する持ち上げロッドが設置され、前記持ち上げロッドの上端には右方に開口したばね溝が三つ形成され、前記ばね溝の中には移動ロッドが設置され、前記移動ロッドの右端が前記従動空間の左端壁を貫通し、且つ前記従動空間の中に位置し、前記移動ロッドの右端には右方に開口した収納溝が形成され、前記収納ロッドの左端が前記収納溝の中に位置し、前記ばね溝の中にはさらに前記ばね溝の左端壁と前記移動ロッドとを連結させる伸縮ばねが設置され、前記移動ロッドの中には下方に開口したスライド空間が設置され、前記スライド空間の中にはスライドブロック及び前記スライドブロックを復帰させられるスライドばねが設置され、前記鎖の上端が前記移動空間の下端壁を貫通し、且つ前記昇降ブロックの左端面を二回貫通したあとに前記スライド空間の下端壁を貫通し、そして前記スライドブロックと連結されている。
【００１１】
さらに、前記押し機構は前記旋転空間の上端壁の中に位置する押圧空間を含み、前記押圧空間の前後端壁の間には押圧軸が回転可能に連結され、前記押圧軸にはセクタ歯車が三つ固定され、前記押圧軸にはさらに前記第三プーリと第二ベルトで連結された第四プーリが固定され、前記押圧空間の中にはさらに押圧板が三枚設置され、前記押圧板の右端面には押圧ばねが二本固定され、二本の前記押圧ばねは右端が前記押圧空間の右端壁と連結され、前記ロープの右端が前記押し空間の右端壁及び前記押圧空間の右端壁を貫通し、且つ前記押圧板と連結され、前記押圧板の右端面にはさらに押圧ロッドが固定され、前記押圧ロッドは右端が前記押圧空間の右端壁及び前記移動溝の左端壁を貫通し、且つ前記移動溝の中に位置し、前記制限ロッドの上端が前記押圧ロッドの右端を貫通する。
【００１２】
さらに、前記昇降ブロックが最も上に上昇した時、前記昇降機構は前記昇降歯車を回転させることができない。
【００１３】
さらに、前記持ち上げロッドと前記持ち上げ空間との間の摩擦力は前記持ち上げロッドの重力より大きい。
【００１４】
さらに、始めに、前記ウォームと前記ウォームホイールとは噛み合い、前記電磁板は作動状態にあり、且つ前記磁石ブロックと反発し合い、六本の前記押圧ばねが自然状態にあり、前記スライドばねの弾力は前記伸縮ばねの弾力より大きく、前記スライドばねの弾力は二本の前記押圧ばねの弾力の和より小さい。
【発明の効果】
【００１５】
本願発明の有益効果は：本願装置は構造が簡単で、操作が便利で、自動的に作動でき、変圧器の作業環境のデータを測定する時、人が遠隔操作でデータを得られるため、人の変圧器に近づくことによる安全問題を避け、その他、機械の伝動により測定項目を自動的に変えられ、測定効率を向上させる。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の実施例の構成模式図
【図２】図２は本願発明の実施例におけるＡ―Ａの構成模式図
【図３】図３は本願発明の実施例におけるＢ―Ｂの構成模式図
【図４】図４は本願発明の実施例における昇降ブロック上端の全断面の左面拡大構成模式図
【図５】図５は本願発明の実施例における巻き付き機構の部分断面の正面拡大構成模式図
【発明を実施するための形態】
【００１８】
図１〜５を参照し、本願発明に記載の変圧器の総合性能を測定する際の作業環境に対する知能測定装置は、測定箱１０を含み、前記測定箱１０の左端面の中にはディスプレー１６が設置され、前記測定箱１０の中には前記測定箱１０の移動を制御できる移動機構９６が設置され、前記測定箱１０の中には回転空間６１が設置され、前記回転空間６１の中には駆動機構９５が設置され、前記駆動機構９５は本願装置に動力を提供でき、前記回転空間６１の右端壁の中には上方に開口した昇降空間４７が設置され、前記昇降空間４７の中には昇降機構９７が設置され、前記昇降機構９７は昇降ブロック４６及び前記昇降ブロック４６を支持できる昇降ばね４８を含み、前記昇降ブロック４６の上端には前記昇降ブロック４６の左右端面を貫通した従動空間３５が三つ設置され、前記従動空間３５の中にはセンサー３４が設置され、前記センサー３４の左端面には収納ロッド３３が固定され、前記従動空間３５の下端壁には上方に開口した位置制限空間３７が設置され、前記位置制限空間３７の中には位置制限ブロック３６が設置され、前記位置制限ブロック３６は上端が前記センサー３４と固定的に連結され、前記位置制限空間３７の下端壁には移動溝３９が形成され、前記移動溝３９は上端壁が前記位置制限空間３７に連通し、且つ左端壁が前記昇降空間４７に連通し、前記移動溝３９の下端壁には上方に開口した収納空間４０が設置され、前記収納空間４０は左端壁が右下方へ傾斜しており、前記移動溝３９の中には制限ロッド３８が設置され、前記制限ロッド３８は上端が前記位置制限空間３７の中に位置し、且つ前記位置制限ブロック３６を制限でき、前記昇降ブロック４６の中には巻き付き空間９８が設置され、前記巻き付き空間９８の左右端壁の間には六本の従動軸４２が回転可能に連結され、前記従動軸４２にはローラ４３が固定され、上側にある三つの前記ローラ４３には第一導電線４４が巻かれ、下側にある三つの前記ローラ４３には第二導電線１３が巻かれ、前記従動軸４２と前記巻き付き空間９８の右端壁とは捻りばね４１により連結され、前記巻き付き空間９８の左端壁には接電柱４５が固定され、前記測定箱１０の中には前記センサー３４を押し出す巻き付き機構９４が設置され、前記測定箱１０の中には前記制限ロッド３８を押して移動させることができる押し機構９３が設置され、前記駆動機構９５の動力の出力を制御することで、前記昇降機構９７と、前記押し機構９３と、前記移動機構９６との運動をそれぞれ制御でき、前記押し機構９３は三本の前記制限ロッド３８のうちの一本を制御して移動させたあと、前記巻き付き機構９４が作動して前記センサー３４を押し出し、測定を始める。
【００１９】
有益的には、前記移動機構９６は伝動空間５２を含み、前記伝動空間５２の左右端壁の間には第一伝動軸５１及び第二伝動軸６３が回転可能に連結され、前記第二伝動軸６３には第一プーリ１１及びウォームホイール７９が固定され、前記第一伝動軸５１には第二プーリ５３及び第一スプロケット５４が固定され、前記第二プーリ５３と前記第一プーリ１１とは第一ベルト５０により連結され、前記測定箱１０の中には下方に開口した転び空間６２が二つ設置され、前記転び空間６２の左右端壁の間には転び軸６４が回転可能に連結され、前記転び軸６４には下端が外部空間に位置するトロリーホィール５５が二つ固定され、前記転び軸６４にはさらに第二スプロケット６５が固定され、二つの前記第二スプロケット６５と前記第一スプロケット５４とはチェーン６６により連結され、前記ウォームホイール７９は上端が前記回転空間６１の中に位置している。
【００２０】
有益的には、前記駆動機構９５は前方に開口した水平移動空間８５を含み、前記水平移動空間８５の下端壁には下押し空間８１が設置され、前記下押し空間８１は上端壁が前記水平移動空間８５に連通し、且つ前端壁が前記回転空間６１に連通し、前記下押し空間８１の中には固定板８４が設置され、前記固定板８４の後端面には磁石ブロック８３が設置され、且つ前記固定板８４の前端面にはモータ８２が固定され、前記下押し空間８１の下端壁には圧縮ばね８０が固定され、前記圧縮ばね８０は上端が前記磁石ブロック８３と接触し、前記水平移動空間８５の上端壁には電磁板８６が固定され、前記水平移動空間８５の中には電磁石ブロック４９が左右対称的に固定され、前記モータ８２の前端にはウォーム７７が伝動可能に連結され、前記ウォーム７７は前端が前記回転空間６１の中に位置し、前記ウォームホイール７９の上端と前記ウォーム７７とは噛み合い、且つ前記ウォーム７７の前端には駆動歯車７８が固定され、前記回転空間６１の前後端壁の間には回転軸６０及び昇降軸７６が回転可能に連結され、前記回転軸６０には回転歯車６７及び第三プーリ６８が固定され、前記昇降軸７６には昇降歯車７５が固定され、前記昇降歯車７５は右端が前記昇降空間４７の中に位置し、且つ前記昇降ブロック４６の左端面と噛み合っている。
【００２１】
有益的には、前記第二導電線１３の一端と前記第一導電線４４の一端とがいずれも前記接電柱４５に固定され、前記第二導電線１３の他端が前記巻き付き空間９８の右端壁及び前記位置制限空間３７の左端壁を貫通したあとに前記位置制限ブロック３６を貫通し、且つ前記センサー３４と連結され、前記第一導電線４４の他端が前記巻き付き空間９８の左端壁及び前記昇降空間４７の左端壁を貫通し、且つ前記ディスプレー１６と連結され、前記第二導電線１３の中間点と前記第一導電線４４の中間点とはいずれも前記ローラ４３に固定され、そして前記第二導電線１３と前記第一導電線４４とが前記ローラ４３に巻かれている。
【００２２】
有益的には、前記巻き付き機構９４は前記回転空間６１の上端壁の中に位置する旋転空間６９を含み、前記旋転空間６９の後端壁の中には前方へ開口したスライド溝５８が形成され、前記スライド溝５８の中には滑走ブロック５９及び前記滑走ブロック５９を復帰させる復帰ばね８９が設置され、前記滑走ブロック５９の中には伝動モータ５７が設置され、前記伝動モータ５７の前端には前端が前記旋転空間６９の中に位置する旋転軸７０が伝動可能に連結され、前記旋転軸７０には旋転歯車７１が固定され、前記旋転軸７０の左側には巻き付き軸８７が設置され、前記巻き付き軸８７は前後両端が前記旋転空間６９の前後端壁と回転可能に連結され、前記巻き付き軸８７には前記旋転歯車７１と噛み合うことができる連結歯車７２が固定され、前記巻き付き軸８７にはさらに三つのリール５６が固定され、前記リール５６には鎖２６が巻かれ、前記旋転空間６９の右端壁の中には左方に開口した押し空間９１が三つ設置され、前記押し空間９１の中には左端が前記旋転空間６９の中に位置する押しロッド９０及び前記押しロッド９０を復帰させられる押しばね９２が設置され、前記押しロッド９０の左端には左端面が前記旋転軸７０と接触した旋転軸７０が固定され、前記押しロッド９０の右端面にはロープ１７が固定され、前記測定箱１０の中には上方に開口した持ち上げ空間１４が設置され、前記測定箱１０の中には上方に開口し、且つ前記持ち上げ空間１４の上端壁に貫通された移動空間１９が設置され、前記昇降空間４７の上端壁が前記移動空間１９を貫通し、且つ前記昇降ブロック４６の上端が前記移動空間１９の中に位置し、前記持ち上げ空間１４の中には上端が前記移動空間１９の中に位置する持ち上げロッド１５が設置され、前記持ち上げロッド１５の上端には右方に開口したばね溝２０が三つ形成され、前記ばね溝２０の中には移動ロッド２４が設置され、前記移動ロッド２４の右端が前記従動空間３５の左端壁を貫通し、且つ前記従動空間３５の中に位置し、前記移動ロッド２４の右端には右方に開口した収納溝３２が形成され、前記収納ロッド３３の左端が前記収納溝３２の中に位置し、前記ばね溝２０の中にはさらに前記ばね溝２０の左端壁と前記移動ロッド２４とを連結させる伸縮ばね２１が設置され、前記移動ロッド２４の中には下方に開口したスライド空間２５が設置され、前記スライド空間２５の中にはスライドブロック２３及び前記スライドブロック２３を復帰させられるスライドばね２２が設置され、前記鎖２６の上端が前記移動空間１９の下端壁を貫通し、且つ前記昇降ブロック４６の左端面を二回貫通したあとに前記スライド空間２５の下端壁を貫通し、そして前記スライドブロック２３と連結されている。
【００２３】
有益的には、前記押し機構９３は前記旋転空間６９の上端壁の中に位置する押圧空間１８を含み、前記押圧空間１８の前後端壁の間には押圧軸２７が回転可能に連結され、前記押圧軸２７にはセクタ歯車２８が三つ固定され、前記押圧軸２７にはさらに前記第三プーリ６８と第二ベルト７３で連結された第四プーリ７４が固定され、前記押圧空間１８の中にはさらに押圧板２９が三枚設置され、前記押圧板２９の右端面には押圧ばね３０が二本固定され、二本の前記押圧ばね３０は右端が前記押圧空間１８の右端壁と連結され、前記ロープ１７の右端が前記押し空間９１の右端壁及び前記押圧空間１８の右端壁を貫通し、且つ前記押圧板２９と連結され、前記押圧板２９の右端面にはさらに押圧ロッド３１が固定され、前記押圧ロッド３１は右端が前記押圧空間１８の右端壁及び前記移動溝３９の左端壁を貫通し、且つ前記移動溝３９の中に位置し、前記制限ロッド３８の上端が前記押圧ロッド３１の右端を貫通する。
【００２４】
有益的には、前記昇降ブロック４６が最も上に上昇した時、前記昇降機構９７は前記昇降歯車７５を回転させることができない。
【００２５】
有益的には、前記持ち上げロッド１５と前記持ち上げ空間１４との間の摩擦力は前記持ち上げロッド１５の重力より大きい。
【００２６】
有益的には、始めに、前記ウォーム７７と前記ウォームホイール７９とは噛み合い、前記電磁板８６は作動状態にあり、且つ前記磁石ブロック８３と反発し合い、六本の前記押圧ばね３０が自然状態にあり、前記スライドばね２２の弾力は前記伸縮ばね２１の弾力より大きく、前記スライドばね２２の弾力は二本の前記押圧ばね３０の弾力の和より小さい。
【００２７】
装置全体の作動手順は以下の通りである。
【００２８】
１、三つのセンサー３４はそれぞれ変圧器の中の温度、湿度及びエアマスを測定できる。
【００２９】
２、モータ８２が作動してウォーム７７を駆動して回転させ、さらに駆動歯車７８とウォームホイール７９とを駆動して回転させ、ウォームホイール７９の回転で第二伝動軸６３は駆動されて回転し、第一プーリ１１を駆動して回転させ、第一ベルト５０の伝動により第二プーリ５３を駆動して回転させ、さらに第一伝動軸５１を駆動して回転させ、さらに第一スプロケット５４を駆動して回転させ、チェーン６６の伝動で二つの第二スプロケット６５は駆動されて回転し、転び軸６４を駆動して回転させ、さらにトロリーホィール５５を駆動して回転させ、測定箱１０は駆動されて移動する。
【００３０】
３、測定箱１０は測定位置に運動した時、電磁板８６は作動していなく、圧縮ばね８０が復帰して磁石ブロック８３を制御して上方へ運動させ、そして固定板８４とモータ８２とを駆動して上方へ運動させ、ウォーム７７と駆動歯車７８とは駆動されて上方へ運動し、ウォーム７７とウォームホイール７９とを分離させ、そして右側にある電磁石ブロック４９は作動し、磁石ブロック８３と、固定板８４と、モータ８２とは駆動されて右方へ運動し、駆動歯車７８と昇降歯車７５とは噛み合うようになり、この時にモータ８２が作動してウォーム７７を駆動して回転させ、さらに駆動歯車７８を駆動して回転させ、さらに昇降歯車７５を駆動して回転させ、さらに昇降ブロック４６を駆動して上方へ運動させ、移動ロッド２４と持ち上げロッド１５とが駆動されて上方へ運動し、センサー３４は上方へ運動して測定高度まで辿り、昇降ブロック４６が上方へ運動する時に第二導電線１３が伸び、下側にある従動軸４２と下側にあるローラ４３とが回転し、下側にある捻りばね４１が捻られる。
【００３１】
４、この時に左側にある電磁石ブロック４９が作動して磁石ブロック８３と吸引し合い、右側にある電磁石ブロック４９が作動して磁石ブロック８３と反発し合い、磁石ブロック８３が左方へ運動し、固定板８４とモータ８２とは制御されて左方へ運動し、駆動歯車７８と回転歯車６７とは噛み合うようになり、この時にモータ８２が作動してウォーム７７を駆動して回転させ、さらに駆動歯車７８を駆動して回転させ、さらに回転歯車６７を駆動して回転させ、さらに回転軸６０と第三プーリ６８とを駆動して回転させ、第二ベルト７３の伝動で第四プーリ７４は駆動されて回転し、押圧軸２７を駆動して回転させ、三つのセクタ歯車２８を駆動して回転させ、需要に応じていずれかのセクタ歯車２８に押圧板２９を駆動して右方へ運動させ、一本のロープ１７が緩み、押圧ロッド３１が右方へ運動し、制限ロッド３８を制御して右方へ運動させ、制限ロッド３８が右方へ運動して収納空間４０の上側に辿る時、制限ロッド３８が下降し、位置制限ブロック３６の右方への運動を制限しなくなり、この時に二つの電磁石ブロック４９が作動して磁石ブロック８３と反発し合い、磁石ブロック８３が二つの電磁石ブロック４９の間に位置している。
【００３２】
５、ロープ１７が緩めになるため、押しロッド９０は押しばね９２により緩速に左方へ運動し、旋転軸７０を駆動して左方へ運動させ、旋転歯車７１と連結歯車７２とを噛み合わせ、この時に伝動モータ５７が作動して旋転軸７０を駆動して回転させ、さらに旋転歯車７１を駆動して回転させ、さらに連結歯車７２を駆動して回転させ、さらに巻き付き軸８７を駆動して回転させ、さらにリール５６を駆動して回転させ、そして鎖２６を締め、移動ロッド２４を駆動して右方へ運動させ、三つの位置制限ブロック３６のうちの二つが制限されているため、二本の移動ロッド２４が右方へ運動できなく、スライドばね２２は引っ張られ、一つの位置制限ブロック３６が制限されていないため、一本の移動ロッド２４が右方へ運動し、伸縮ばね２１が引っ張られ、一つのセンサー３４が駆動されて右方へ運動し、センサー３４が従動空間３５から離れて測定区域に入り、移動ロッド２４の右方への運動距離を制御し、センサー３４の変圧器に入る位置を制御し、この時にセンサー３４が作動して変圧器を測定し、データが第一導電線４４と、接電柱４５と、第二導電線１３とによりディスプレー１６に送られて表示され、センサー３４が右方へ運動する時、第一導電線４４が伸び、上側にある従動軸４２と上側にあるローラ４３とが回転し、上側にある捻りばね４１が捻られる。
【００３３】
６、本願装置を復帰させる時、伝動モータ５７が作動して旋転軸７０を駆動して逆方向へ回転させ、旋転歯車７１と、連結歯車７２と、巻き付き軸８７とを駆動して逆方向へ回転させ、さらにリール５６を駆動して逆方向へ回転させ、さらに鎖２６を緩め、さらに二つの引っ張られたスライドばね２２と一つの引っ張られた伸縮ばね２１とを復帰させ、さらに二つのスライドブロック２３と一本の移動ロッド２４とを復帰させ、さらに一つのセンサー３４を復帰させ、この時に伝動モータ５７が作動を止め、左側にある電磁石ブロック４９が作動して磁石ブロック８３と引き合い、駆動歯車７８と回転歯車６７とが再び噛み合うようになり、この時にモータ８２が作動してウォーム７７を駆動して逆方向へ回転させ、駆動歯車７８と、回転歯車６７と、第三プーリ６８と、回転軸６０とを逆方向へ回転させ、第四プーリ７４は前記押圧空間１８の中にある押圧板２９が復帰するまで逆方向へ回転し、制限ロッド３８が復帰し、制限ロッド３８が改めて位置制限ブロック３６を制限し、そして右側にある電磁石ブロック４９が作動して磁石ブロック８３と引き合い、駆動歯車７８と昇降歯車７５とが噛み合い、この時にモータ８２が作動してウォーム７７を駆動して逆方向へ回転させ、駆動歯車７８と昇降歯車７５とを駆動して逆方向へ回転させ、昇降ブロック４６が復帰し、移動ロッド２４と持ち上げロッド１５とが復帰し、二つの電磁石ブロック４９が作動して磁石ブロック８３と反発し合い、磁石ブロック８３が二つの電磁石ブロック４９の間に戻り、この時に電磁板８６が作動して磁石ブロック８３と反発し合い、磁石ブロック８３が復帰し、ウォーム７７とウォームホイール７９とを改めて噛み合わせ、本願装置が復帰する。
【００３４】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願発明は変圧器の総合性能に対する知能測定装置を開示した。
【解決手段】
測定箱を含み、前記測定箱の左端面の中にはディスプレーが設置され、前記測定箱の中には前記測定箱の移動を制御できる移動機構が設置され、前記測定箱の中には回転空間が設置され、前記回転空間の中には駆動機構が設置され、前記駆動機構は本願装置に動力を提供でき、前記回転空間の右端壁の中には上方に開口した昇降空間が設置され、前記昇降空間の中には昇降機構が設置され、前記昇降機構は昇降ブロック及び前記昇降ブロックを支持できる昇降ばねを含み、本願装置は構造が簡単で、操作が便利で、自動的に作動でき、変圧器の作業環境のデータを測定する時、人が遠隔操作でデータを得られるため、人の変圧器に近づくことによる安全問題を避け、その他、機械の伝動により測定項目を自動的に変えられ、測定効率を向上させる。
【選択図】図１【図１】
0006813737.tif 000002
【図２】
0006813737.tif 000003
【図３】
0006813737.tif 000004
【図４】
0006813737.tif 000005
【図５】
0006813737.tif 000006